(57)【要約】【課題】継手の数の削減と、これに伴う施工性の改善を図ることができるフェンス用継手を提供する。【解決手段】縦桟１２と横桟１３とが格子状に溶接され、胴縁１４は、リング状に折り曲げた縦桟１２の端部の外側に横桟１３を溶接することによって形成されたメッシュフェンス用パネル１１を、丸パイプからなる支柱４に固定するためのフェンス用継手において、長手方向中央部にボルト孔２が形成された板状の継手本体１と、胴縁１４内に挿入される継手本体１の両側に、継手本体１を貫通して固定されたナット３とからなり、継手本体１の長手方向中央部の、支柱４との取付け部分（Ｓ）は、継手本体１の長手方向に弧状に湾曲している。【選択図】図７
2020143511.tif 000002
【特許請求の範囲】
【請求項１】
縦桟と横桟とが格子状に溶接され、胴縁は、リング状に折り曲げた前記縦桟の端部の外側に前記横桟を溶接することによって形成されたメッシュフェンス用パネルを、丸パイプからなる支柱に固定するためのフェンス用継手において、
長手方向中央部にボルト孔が形成された板状の継手本体と、前記胴縁内に挿入される前記継手本体の両側に、前記継手本体を貫通して固定されたナットとからなり、前記継手本体の長手方向中央部の、前記支柱との取付け部分は、前記継手本体の長手方向に弧状に湾曲していることを特徴とするフェンス用継手。
【請求項２】
前記継手本体の両側は、前記継手本体の幅方向に弧状に湾曲していることを特徴とする、請求項１に記載のフェンス用継手。
【請求項３】
前記ナットは、前記継手本体にかしめにより固定されていることを特徴とする、請求項１または２に記載のフェンス用継手。
【請求項４】
前記取付け部分の曲率は、前記支柱の曲率より大きいことを特徴とする請求項１から３の何れか１つに記載のフェンス用継手。
【請求項５】
前記継手本体には、補強用リブが形成されていることを特徴とする、請求項１から４の何れか１つに記載のフェンス用継手。
【請求項６】
前記ボルト孔は、横長に形成されていることを特徴とする、請求項１から５の何れか１つに記載のフェンス用継手。
【発明の詳細な説明】
【技術分野】
【０００１】
この発明は、フェンス用継手、特に、メッシュフェンス用パネルを支柱に固定するためのフェンス用継手に関するものである。
【背景技術】
【０００２】
メッシュフェンスは、縦桟と横桟とを格子状に溶接したものからなるパネルを、フェンス用継手を介して支柱に固定することによって構築される。
【０００３】
従来のフェンス用継手の一例を、図面を参照しながら説明する。以下、この従来のフェンス用継手を従来継手という。
【０００４】
図１０は、従来継手によりパネルを支柱に固定した状態を示す正面図、図１１は、従来継手によりパネルを支柱に固定した状態を示す平面図、図１２は、従来継手によりパネルを支柱に固定した状態を示す側面図である。
【０００５】
図１０から図１２において、１１は、縦桟１２と横桟１３とを格子状に溶接したものからなるパネルである。パネル１１の胴縁１４は、リング状に折り曲げられた縦桟１２の上端の外側に横桟１３を溶接することによって形成されている。なお、図示の胴縁は、上胴縁を示す。
【０００６】
１５は、パネル１１を丸パイプからなる支柱１６に固定するための従来継手である。従来継手１５は、胴縁１４内に挿入される挿入部１７と支柱１６に固定される固定部１８とからなっている。挿入部１７には、挿入部１７の一部をプレスにより打ち抜くことによって、後述するねじの螺合部１９が形成されている。挿入部７には、ボルト孔２０が形成され、固定部１８には、ボルト孔２１が形成されている。
【０００７】
このように構成されている従来継手１５によりパネル１１を支柱１６に固定するには、従来継手１５の挿入部１７をパネル１１の胴縁１４に挿入し、固定金具２２を胴縁１４に当てがい、ねじ２３を固定金具２２を通して挿入部１７の螺合部１９にねじ込む。
【０００８】
このようにして、従来継手１５を左右のパネル１１の胴縁１４に固定したら、ボルト２４を一方の従来継手１５の固定部１８のボルト孔２１から支柱１６を通して他方の従来継手１５の固定部１８のボルト孔２１に通し、ナット２５を締める。これによって、パネル１１は、従来継手１５により支柱１６に固定される。
【発明の概要】
【発明が解決しようとする課題】
【０００９】
上述したように、従来継手１５によれば、パネル１１を支柱１６に固定することはできるが、２つの継手が必要であるので、継手の数の削減と施工性の改善が望まれている。
【００１０】
従って、この発明の目的は、継手の数を削減することができるとともに、施工性の改善を図ることができるフェンス用継手を提供することにある。
【課題を解決するための手段】
【００１１】
この発明は、上記目的を達成するためになされたものであり、下記を特徴とするものである。
【００１２】
請求項１に記載の発明は、縦桟と横桟とが格子状に溶接され、胴縁は、リング状に折り曲げた前記縦桟の端部の外側に前記横桟を溶接することによって形成されたメッシュフェンス用パネルを、丸パイプからなる支柱に固定するためのフェンス用継手において、長手方向中央部にボルト孔が形成された板状の継手本体と、前記胴縁内に挿入される前記継手本体の両側に、前記継手本体を貫通して固定されたナットとからなり、前記継手本体の長手方向中央部の、前記支柱との取付け部分は、前記継手本体の長手方向に弧状に湾曲していることに特徴を有するものである。
【００１３】
請求項２に記載の発明は、請求項１に記載の発明において、前記継手本体の両側は、前記継手本体の幅方向に弧状に湾曲していることに特徴を有するものである。
【００１４】
請求項３に記載の発明は、請求項１または２に記載の発明において、前記ナットは、前記継手本体にかしめにより固定されていることに特徴を有するものである。
【００１５】
請求項４に記載の発明は、請求項１から３の何れか１つに記載の発明において、前記取付け部分の曲率は、前記支柱の曲率より大きいことに特徴を有するものである。
【００１６】
請求項５に記載の発明は、請求項１から４の何れか１つに記載の発明において、前記継手本体には、補強用リブが形成されていることに特徴を有するものである。
【００１７】
請求項６に記載の発明は、請求項１から５の何れか１つに記載の発明において、前記ボルト孔は、横長に形成されていることに特徴を有するものである。
【発明の効果】
【００１８】
この発明によれば、１つの継手でパネルを支柱に固定することができるので、継手の数を削減することができるとともに、継手本体にナット機能を付加することによって、施工性の改善を図ることができる。
【００１９】
また、この発明によれば、継手本体の両側を継手本体の幅方向に弧状に湾曲させることによって、継手本体の強度を高めることができるとともに、外観がよくなる。
【００２０】
また、この発明によれば、継手本体の長手方向中央部の、支柱との取付け部分を継手本体の長手方向に弧状に湾曲させ、その曲率を支柱の曲率より大きくすることによって、パネルの傾斜設置に対応することができる。
【図面の簡単な説明】
【００２１】
【図１】この発明のフェンス用継手を示す正面図である。
【図２】この発明のフェンス用継手を示す平面図である。
【図３】この発明のフェンス用継手を示す側面図である。
【図４】この発明のフェンス用継手を示す背面図である。
【図５】図１のＡ−Ａ線断面図である。
【図６】この発明のフェンス用継手により支柱にパネルを取り付けた状態を示す正面図である。
【図７】この発明のフェンス用継手により支柱にパネルを取り付けた状態を示す平面図である。
【図８】この発明のフェンス用継手により支柱にパネルを取り付けた状態を示す側面図である。
【図９】この発明のフェンス用継手により支柱にパネルを取り付けた状態を示す背面図である。
【図１０】従来継手によりパネルを支柱に固定した状態を示す正面図である。
【図１１】従来継手によりパネルを支柱に固定した状態を示す平面図である。
【図１２】従来継手によりパネルを支柱に固定した状態を示す側面図である。
【発明を実施するための形態】
【００２２】
この発明のフェンス用継手の一実施態様を、図面を参照しながら説明する。
【００２３】
図１は、この発明のフェンス用継手を示す正面図、図２は、この発明のフェンス用継手を示す平面図、図３は、この発明のフェンス用継手を示す側面図、図４は、この発明のフェンス用継手を示す背面図、図５は、図１のＡ−Ａ線断面図である。
【００２４】
図１から図５において、１は、長手方向中央部に横長のボルト孔２が形成された板状の継手本体、３は、後述する胴縁１４内に挿入される継手本体１の両側に、継手本体１を貫通して、かしめにより固定されたナットである。ボルト孔２を長孔に形成したのは、継手本体１の取り付けを調整するためである。
【００２５】
継手本体１の長手方向中央部の、支柱４（図２参照）との取付け部分（Ｓ）は、継手本体１の長手方向に弧状に湾曲している。取付け部分（Ｓ）の曲率は、支柱４の曲率より大きく形成されている。これによって、支柱４と取付け部分（Ｓ）との間に隙間（Ｌ）が形成されるので、後述するパネル１１の傾斜設置に対応することができる。
【００２６】
継手本体１の両側は、継手本体１の幅方向に弧状に湾曲している。これによって、継手本体１の強度を高めることができるとともに、後述する胴縁１４内において継手本体１が胴縁１４と接近するので、外観がよくなる。なお、継手本体１には、補強用リブ５が上下に形成され、これによっても継手本体１が補強されている。
【００２７】
このように構成されている、この発明の継手によりパネルを支柱に固定するには、図６から図９に示すように、支柱４に継手本体１を当てがい、ボルト６を支柱４に形成されたボルト孔７から、継手本体１のボルト孔２に通し、ナット８を締める。
【００２８】
なお、パネル１１は、前述したパネルと同様に、縦桟１２と横桟１３とを格子状に溶接したものからなり、パネル１１の胴縁１４は、リング状に折り曲げられた縦桟１２の上端の外側に横桟１３を溶接することによって形成されている。
【００２９】
このようにして、継手本体１を支柱４に固定したら、継手本体１の一方側をパネル１１の胴縁１４内に挿入する。挿入方法は、胴縁１４に形成された隙間（ｍ）（図８参照）から継手本体１を胴縁１４内に差し込む方法を採用する。
【００３０】
次に、固定金具９を胴縁１４に当てがい、ボルト１０を長孔９ａが形成された固定金具９を通してナット３にねじ込む。これによって、パネル１１は、この発明の継手により支柱４に固定される。これを左右のパネル１１において行えば、メッシュフェンスを構築することができる。
【００３１】
以上、説明したように、この発明によれば、１つの継手でパネル１１を支柱４に固定することができるので、継手の数を削減することができるとともに、継手本体１にナット機能を付加することによって、施工性の改善を図ることができる。
【００３２】
また、この発明によれば、継手本体１の両側を継手本体の幅方向に弧状に湾曲させることによって、継手本体１の強度を高めることができるとともに、外観がよくなる。
【００３３】
また、この発明によれば、継手本体１の長手方向中央部の、支柱４との取付け部分（Ｓ）を継手本体１の長手方向に弧状に湾曲させ、その曲率を支柱４の曲率より大きくすることによって、パネル１１の傾斜設置に対応することができる。
【符号の説明】
【００３４】
１：継手本体
２：ボルト孔
３：ナット
４：支柱
５：補強用リブ
６：ボルト
７：ボルト孔
８：ナット
９：固定金具
９ａ：長孔
１０：ボルト
１１：パネル
１２：縦桟
１３：横桟
１４：胴縁
１５：従来継手
１６：支柱
１７：挿入部
１８：固定部
１９：螺合部
２０：ボルト孔
２１：ボルト孔
２２：固定金具
２３：ねじ
２４：ボルト
２５：ナット
【図１】
2020143511.tif 000003
【図２】
2020143511.tif 000004
【図３】
2020143511.tif 000005
【図４】
2020143511.tif 000006
【図５】
2020143511.tif 000007
【図６】
2020143511.tif 000008
【図７】
2020143511.tif 000009
【図８】
2020143511.tif 000010
【図９】
2020143511.tif 000011
【図１０】
2020143511.tif 000012
【図１１】
2020143511.tif 000013
【図１２】
2020143511.tif 000014